(57)【要約】      （修正有）【課題】離脱のために専用の治具を必要とせずに、容易に商品収納ケースに着脱することができる盗難防止用タグを提供する。【解決手段】収納部３と蓋部４とをヒンジ結合した商品収納ケース２の収納部３もしくは蓋部４の自由端側にケース縁に沿って挿入孔部６を形成し、挿入孔部６に挿入するタグ本体７の基端に配置した一対の爪部１４、１５で閉状態の収納部３と蓋部４を一体に挟持し、タグ本体７の先端のセンサスイッチ１９でタグ本体７の抜き出しを検出し、タグ本体７に内蔵する監視装置が呼掛信号を受信したとき、もしくはセンサスイッチ１９から異常信号を受信したときに、ゲート発報用信号を送信するとともに、ブザー２５を鳴動させて警報音を発報する。【選択図】図２
0003111601.tif 000002
【実用新案登録請求の範囲】
【請求項１】
収納部と蓋部とを開閉自在にヒンジ結合してなる商品収納ケースに装着するもので、収納部もしくは蓋部の自由端側にケース縁に沿って形成した挿入孔部に挿入するスティック状のタグ本体と、タグ本体の基端の両側に配置した一対の爪部で閉状態の収納部と蓋部を一体に挟持するとともに、放音口をなす中空部を有するロック部と、タグ本体の先端に配置し、挿入孔部からタグ本体の抜き出しを検出するセンサスイッチと、タグ本体に内蔵する監視装置とを備え、監視装置はゲートから発する呼掛信号を受信したとき、もしくはセンサスイッチから異常信号を受信したときに、ゲート発報用信号をゲートに送信するとともに、ブザーを鳴動させて放音口から警報音を発報し、制御信号を受信したときに監視状態を解除することを特徴とする盗難防止用タグ。
【考案の詳細な説明】
【技術分野】
【０００１】
本考案は盗難防止用タグに関し、展示商品を収納するケースに取り付けて使用し、センサの変化を検出して警報・通報するとともに、出入口等に設ける監視ゲートにおいて不正な商品の持ち出し時に信号を発するタグの技術に係るものである。
【背景技術】
【０００２】
従来の盗難防止用タグとしては、例えば特許文献１に記載するものがある。これは、上面が開口するクリアケース本体に、ロック時にＣＤ等の内部収納商品の取り出しを防止する爪を設け、クリアケース本体の側面に、物品監視装置を内蔵したタグを装着するものである。
【０００３】
販売店において、ＣＤを入れたカセットを自鳴式物品監視装置のクリアケースに収容して陳列し、客が勝手に自鳴式物品監視装置のクリアケースからカセットを取り出すと、警報作動検出スイッチが作動し、ブザーが鳴動する。また、客がカセットを自鳴式物品監視装置のクリアケースに収容したまま無断で店外へ持ち出そうとすると、自鳴式物品監視装置の無線受信回路が入口ゲート等に設けられている送信回路からの信号を受けてブザーが鳴動する。
【特許文献１】特開２００１−１４３１６７号公報
【考案の開示】
【考案が解決しようとする課題】
【０００４】
しかし、上記した従来の構成においては、自鳴式物品監視装置のロックを解除するために、専用のリリーサが必要である。ロックを解除する操作は、自鳴式物品監視装置を備えたクリアケースをリリーサに挿入し、リリーサの左右側面に設けられた強力な磁石の作用により、タグ内のロックを解除して自鳴式物品監視装置をロック解除位置へ移動させることでクリアケースからＣＤ商品の取り出しを可能としている。
【０００５】
本考案は上記した課題を解決するものであり、離脱のために専用の治具を必要とせずに、容易に商品収納ケースに着脱することができる盗難防止用タグを提供することを目的とする。
【課題を解決するための手段】
【０００６】
上記課題を解決するために、本考案の盗難防止用タグは、収納部と蓋部とを開閉自在にヒンジ結合してなる商品収納ケースに装着するもので、収納部もしくは蓋部の自由端側にケース縁に沿って形成した挿入孔部に挿入するスティック状のタグ本体と、タグ本体の基端の両側に配置した一対の爪部で閉状態の収納部と蓋部を一体に挟持するとともに、放音口をなす中空部を有するロック部と、タグ本体の先端に配置し、挿入孔部からタグ本体の抜き出しを検出するセンサスイッチと、タグ本体に内蔵する監視装置とを備え、監視装置はゲートから発する呼掛信号を受信したとき、もしくはセンサスイッチから異常信号を受信したときに、ゲート発報用信号をゲートに送信するとともに、ブザーを鳴動させて放音口から警報音を発報し、制御信号を受信したときに監視状態を解除もしくはリセットすることを特徴とするものである。
【０００７】
上記した構成により、内部に商品を納めた閉状態の商品収納ケースの挿入孔部にタグ本体を挿入し、ロック部の爪部で収納部と蓋部を一体に挟持してロックするだけで盗難防止用タグを商品収納ケースに装着することができる。
【０００８】
盗難防止用タグは、タグ本体を挿入孔部に挿入し、センサスイッチを押圧する状態で監視状態となり、この監視状態においてタグ本体を挿入孔部から抜き出すとセンサスイッチが作動して、センサスイッチから異常信号を受信した監視装置がゲート発報用信号をゲートに送信するとともに、ブザーを鳴動させて放音口から警報音を発報する。
【０００９】
盗難防止用タグは、商品収納ケースに装着した状態で店舗入口等に設置したゲートを通過すると、ゲートから発する呼掛信号を受信してゲート発報用信号をゲートに送信するとともに、ブザーを鳴動させて放音口から警報音を発報し、ゲートが警報を発報する。
【００１０】
盗難防止用タグは、店舗の会計所等において制御信号を受信したときに監視装置が監視状態を解除して非監視状態となる。よって、離脱のために専用の治具を必要とせずに、タグ本体を挿入孔部から引き抜くだけで盗難防止用タグを商品収納ケースから離脱させることができる。
【考案の効果】
【００１１】
以上の本考案によれば、商品収納ケースの挿入孔部にタグ本体を挿入してロック部の爪部で収納部と蓋部を一体にロックするだけで盗難防止用タグを商品収納ケースに装着することができ、離脱のために専用の治具を必要とせずに、タグ本体を挿入孔部から引き抜くだけで盗難防止用タグを商品収納ケースから離脱させることができる。
【考案を実施するための最良の形態】
【００１２】
以下、本考案の実施の形態を図面に基づいて説明する。図１〜図７に示すように、盗難防止用タグ１を装着する商品収納ケース２、商品としてのＤＶＤ等を収納する収納部３と、収納部３の開放口を閉塞する蓋部４とを開閉自在にヒンジ５で結合したものである。
【００１３】
商品収納ケース２は蓋部４の自由端側にケース縁に沿って形成した挿入孔部６を有しており、挿入孔部６は収納部３に設けることも可能である。
盗難防止用タグ１は、挿入孔部６に挿入するスティック状のタグ本体７の基端にロック部８を有し、タグ本体７の先端にロックキー９を有している。収納部３および蓋部４はタグ本体７の先端に対応する側にそれぞれロック用ブロック１０、１１を有しており、双方のロック用ブロック１０、１１にロックキー９を挿入するキー孔１２、１３を形成している。
【００１４】
ロック部８はタグ本体７の基端の両側に配置した一対の爪部１４、１５を有し、双方の爪部１４、１５はタグ本体７を挿入孔部６に挿入した状態において、収納部３および蓋部４に形成した溝部１６に係合する。爪部１４、１５に係合する部位は溝部１６に限らず、凸部の形状とすることも可能である。
【００１５】
ロック部８は両側に滑り止めを施した抓み部１７を有し、両側の抓み部１７の間に形成した中空部が放音口１８をなす。
タグ本体７の先端にはセンサスイッチ１９をロックキー９の近傍に配置しており、センサスイッチ１９はロックキー９に沿って出退し、タグ本体７を挿入孔部６に挿入した状態でロック用ブロック１０に押圧された状態となってタグ本体７が装着状態にあることを検出し、挿入孔部６からタグ本体７を抜き出した状態で突出した状態に復帰してタグ本体７が非装着状態にあることを検出する。
【００１６】
図４に示すように、盗難防止用タグ１は、タグ本体７を挿入孔部６に挿入した状態において、キー孔１２、１３に挿通したロックキー９が双方のロック用ブロック１０、１１を蓋部４の開閉方向で係止するとともに、ロック部８の双方の爪部１４、１５の間に閉状態の収納部３と蓋部４を一体に挟持してロックする。
【００１７】
図５および図６に示すように、タグ本体７は監視装置２０を内蔵しており、監視装置２０は、センサスイッチ１９、受信回路２１、マイクロコンピュータからなる信号処理回路２２、１Ｃチップからなるドライブ２３、バッテリー２４、ブザー２５、送信回路２６からなる。
【００１８】
受信回路２１は、店舗入口等に設置したゲート（図示省略）から発する呼掛信号およびコントローラ（図示省略）から発する制御信号を受信する。信号処理回路２２は受信回路２１から呼掛信号が入力されるとドライブ２３を介して送信回路２６を作動させ、ゲート発報用信号をゲートに送信し、センサスイッチ１９から異常信号を受信したときにドライブ２３を介してブザー２５を鳴動させて放音口１８から警報音を発報し、制御信号を受信したときに監視状態を解除もしくはリセットする。信号処理回路２２はセンサスイッチ１９によってタグ本体７が装着状態にあることを検出して監視状態となる。
【００１９】
以下、上記した構成における作用を説明する。盗難防止用タグ１をセットする場合には、商品収納ケース２のヒンジ５を介して収納部３と開閉自在に結合した蓋部４を開き、収納部３にＤＶＤ等の商品を収納し、商品を納めた閉状態の商品収納ケース２の挿入孔部６にタグ本体７を挿入する。そして、キー孔１２、１３にロックキー９を挿通して双方のロック用ブロック１０、１１を蓋部４の開閉方向で係止するとともに、ロック部８の双方の爪部１４、１５を収納部３と蓋部４の溝部１６に係合させて双方の爪部１４、１５の間に閉状態の収納部３と蓋部４を一体に挟持する。
【００２０】
したがって、盗難防止用タグ１は、タグ本体７を挿入孔部６に挿入するだけの操作において、蓋部４を収納部３にロックするとともに商品収納ケース２に対する盗難防止用タグ１の装着が完了する。
【００２１】
盗難防止用タグ１は、タグ本体７を挿入孔部６に挿入し、センサスイッチ１９をロック用ブロック１０で押圧する状態で監視状態となり、この監視状態において盗難行為によりタグ本体７を挿入孔部６から抜き出すとセンサスイッチ１９が作動し、センサスイッチ１９から異常信号を受信した監視装置２０の信号処理回路２２がドライブ２３を介して送信回路２６を作動させ、送信回路２６がゲート発報用信号を送信するとともに、ドライブ２３を介してブザー２５を鳴動させて放音口１８から警報音を発報する。
【００２２】
図１に示すように、盗難防止用タグ１は、商品収納ケース２に装着した状態で店舗入口等に設置したゲート１００を通過すると、ゲート１００から発する呼掛信号を監視装置２０の受信回路２１が受信して信号処理回路２２がドライブ２３を介して送信回路２６を作動させ、送信回路２６がゲート発報用信号をゲート１００に送信するとともに、ブザー２５を鳴動させて放音口１８から警報音を発報する。ゲート１００はゲート発報用信号を受けて警報を発報する。
【００２３】
盗難防止用タグ１は、店舗の会計所等においてテーブルの下などに配置したコントローラから発する制御信号を監視装置２０の受信回路２１が受信し、監視装置２０が監視状態を解除して非監視状態となる。
【００２４】
よって、会計作業者は、離脱のために専用の治具を必要とせずに、盗難防止用タグ１でロックされた商品収納ケース２を、制御信号を受信するテーブルの上などで取り扱い、タグ本体７を挿入孔部６から引き抜くだけで盗難防止用タグ１を商品収納ケース２から離脱させることができる。
【図面の簡単な説明】
【００２５】
【図１】本考案の実施の形態における盗難防止用タグの使用状態を示す模式図
【図２】同実施の形態における盗難防止用タグおよび商品収納ケースを示す斜視図
【図３】同実施の形態における盗難防止用タグを商品収納ケースに装着した状態を示す斜視図
【図４】同実施の形態における盗難防止用タグを示す斜視図
【図５】同実施の形態における盗難防止用タグを商品収納ケースに装着した状態を示す断面図
【図６】同実施の形態における盗難防止用タグの分解斜視図
【図７】同実施の形態における盗難防止用タグの監視装置を示すブロック図
【符号の説明】
【００２６】
１  盗難防止用タグ
２  商品収納ケース
３  収納部
４  蓋部
５  ヒンジ
６  挿入孔部
７  タグ本体
８  ロック部
９  ロックキー
１０、１１  ロック用ブロック
１２、１３  キー孔
１４、１５  爪部
１６  溝部
１７  抓み部
１８  放音口
１９  センサスイッチ
２０  監視装置
２１  受信回路
２２  信号処理回路
２３  ドライブ
２４  バッテリー
２５  ブザー
２６  送信回路
【図１】
0003111601.tif 000003
【図２】
0003111601.tif 000004
【図３】
0003111601.tif 000005
【図４】
0003111601.tif 000006
【図５】
0003111601.tif 000007
【図６】
0003111601.tif 000008
【図７】
0003111601.tif 000009